(57)【要約】【課題】粉状薬剤を鼻腔内に施薬する装置の改良を目的とする。【解決手段】カプセル収納保持部３０に引出し式にカプセル入出部４０を設け、カプセル収容保持部３０のカプセル引出部４０をはさむ両側にカプセルの軸方向両端部を切断し、カプセルに穴をあける刃具６０Ａ、６０Ｂを配置する。カプセル収容保持部３０のカプセル収容保持部下部３８に一方向弁３３を設け、空気流入側には、空気取入弁５４をもつポンプ部５０を設ける。カプセル収容保持部３０の空気流出側には薬剤分散部７０と薬剤施薬噴霧部２０を設け、ノズル２２を配置し、ポンプ部５０の押圧によってカプセル内の薬剤を使用者の鼻腔へ施薬できる。【選択図】　　　　　図２
2004129823.tif 000002
【特許請求の範囲】
【請求項１】
粉状薬剤が充填されたカプセルを収容保持するカプセル収容保持部と、カプセル収容保持部に施薬用の空気を供給するために、カプセル収容保持部に接続して設けられたポンプ部と、カプセル収容保持部に設けられ、薬剤や空気の逆流を防ぐ一方向弁を持つ空気流通路を介してポンプ部から供給される空気により、カプセル収容保持部のカプセル内の薬剤を使用者の鼻腔に送達、施薬するためにカプセル収容保持部に接続して設けられて、薬剤を空気流により分散させて空気と混合させる薬剤分散部と、薬剤分散部に接続して設けられて先端が１つあるいは２つのノズルが設けられた薬剤施薬噴霧部と、カプセルの入出およびカプセルの軸方向両側に穴をあけるためにカプセル収容保持部にカプセルの軸方向に対して横方向に直線的にカプセルを移動できるように引出し式に設けられたカプセル入出部と、カプセル収容保持部にカプセルの軸方向に対して横方向に設けられカプセルの軸方向両側端部に同時に穴をあけるためカプセル端部の切巾を規制する為のゲート部と刃具を備える鼻腔用粉状薬剤施薬装置。
【請求項２】
前記一方向弁が、空気流通路に穴あけ後のカプセルから落下、逆流してくる粉状薬剤をポンプ部に全く落下、逆流させないためと、粉状薬剤をポンプ部の作働により施薬することができるように、スプリングにより開弁圧力を規定した一方向弁である請求項１に記載の施薬装置。
【請求項３】
使用者が鼻腔に粉状薬剤を施薬するときに、前記薬剤施薬噴霧部のノズルが、使用者の鼻腔形状にならって自在に挿入、施薬できるように可撓性を持つチューブで構成してなる請求項１に記載の施薬装置。
【請求項４】
前記薬剤施薬噴霧部が、先端に２つのノズルが設けられた薬剤施薬噴霧部である請求項１ないし３のいずれかに記載の施薬装置。
【発明の詳細な説明】
【０００１】
【発明の属する技術分野】
本発明は、粉状の薬剤を鼻腔内に施薬するのに好適な鼻腔用粉状薬剤施薬装置に関する。
【０００２】
【従来の技術】
一般的に、鼻炎や鼻アレルギー等の疾患を持つ患者に粉状薬剤を鼻腔に施薬する治療方法が知られている。この治療方法では、専用の施薬装置を用いてカプセル内に充填した粉状の薬剤を鼻腔に施薬している。この治療方法に用いられる施薬装置としては、特開昭５９−３４２６７号公報（以下、従来技術という）に示されるものが従来から案出されている。
【０００３】
この従来技術における装置では、円筒部材の空気流入側にはポンプ部が設けられ、この円筒部材の空気流出側にはカプセルが挿入される凹形状部が形成され、この凹形状部に先端部を嵌合することによってカプセル収容部を形成し、このカプセル収容部からポンプ部に向けて、弁機構を持つ空気導入通路が形成されている。
【０００４】
また、前記ポンプ部の他側にはもうひとつの弁機構が設けられ、この弁機構と空気導入通路内の弁機構により、ポンプ部の押圧時にはカプセル収容部に空気導入通路を介して空気が供給され、ポンプ部の復帰時には外部から空気をポンプ部内に吸い込むようになっている。
【０００５】
さらに、前記円筒部材の先端部に嵌合するキャップを有し、このキャップの内側には軸方向に伸びる針を設け、前記円筒部材の凹形状部と開口部を有する先端部を嵌合させた状態でキャップをはめることにより、カプセルの軸方向両側に穴あけを行う構成となっている。
【０００６】
このように構成される従来技術では、まずカプセルの穴あけには粉状薬剤が充填されたカプセルを円筒部材の凹形状部に挿入した後に先端部を嵌合してカプセルをカプセル収納部に挿着し、固い樹脂でできた先端部にキャップをはめることにより、先端部にガイドされたキャップの内側に設けられた針によりカプセルの軸方向両側先端部に穴をあける。
【０００７】
次に、薬剤を投与するには、円筒部材からキャップを外して先端部を使用者が片方の鼻腔に挿入し、ポンプ部を押圧することによりポンプ部からの空気が空気導入通路を介してカプセル内に流れ、カプセル内の薬剤を使用者の鼻腔に送達して施薬が行われる。
【０００８】
【発明が解決しようとする課題】
上述した従来技術による装置では、まずカプセルを円筒部材に挿入した後に円筒部材に着脱可能な先端部を嵌合し、次に円筒部材に着脱可能なキャップを装置してこれを行うが、これらの施薬準備動作が煩雑であり、使用者が動作を忘れるという問題も発生し、さらに先端部やキャップを紛失した場合には、施薬装置として使用できなくなる問題がある。
【０００９】
次に、穴あけ後から施薬動作に至る過程の動作や施薬装置の姿勢によりカプセルから粉状薬剤が前記空気導入通路内の弁機構を通過してポンプ部から落下してしまい、この場合にはカプセル内の薬剤が少なくなり、使用者に必要な量の薬剤の施薬ができなくなると共に、ポンプ部内に落下した薬剤の清掃を行う必要があるといった問題が発生する。
【００１０】
さらに、施薬時には先端部を使用者が使用者の鼻腔に挿入して施薬を行うが、先端部は固い樹脂でできていることにより、鼻腔への挿入の際に鼻腔を傷つける恐れがあり、しかも使用者の鼻腔形状にならわないことより鼻腔形状に適合しないため、鼻腔への施薬が妨げられて、効率のよい施薬ができないという問題がある。
【００１１】
【課題を解決するための手段】
上述した課題を解決するために、請求項１に記載の本発明は、粉状薬剤が充填されたカプセルを収容保持するカプセル収容保持部と、カプセル収容保持部に施薬用の空気を供給するために、カプセル収容保持部に接続して設けられたポンプ部と、カプセル収容保持部に設けられ、薬剤や空気の逆流を防ぐ一方向弁を持つ空気流通路を介してポンプ部から供給される空気により、カプセル収容保持部のカプセル内の薬剤を使用者の鼻腔に送達、施薬するためにカプセル収容保持部に接続して設けられて、薬剤を空気流により分散させて空気と混合させる薬剤分散部と、薬剤分散部に接続して設けられて先端が１つあるいは２つのノズルが設けられた薬剤施薬噴霧部と、カプセルの入出およびカプセルの軸方向両側に穴をあけるためにカプセル収容保持部にカプセルの軸方向に対して横方向に直線的に移動できるように引出し式に設けられたカプセル入出部と、カプセル収容保持部にカプセルの軸方向に対して横方向に設けられ、カプセルの軸方向両側端部に同時に穴をあけるためカプセル端部の切巾を規制する為のゲート部と刃具を備える構成としたことにある。
【００１２】
請求項２に記載の発明では、前記一方向弁が、空気流通路に穴あけ後のカプセルから落下、逆流してくる粉状薬剤をポンプ部に全く落下、逆流させないためと、粉状薬剤をポンプ部の作働により施薬することができるように、スプリングにより開弁圧力を規定した一方向弁であり、これを設けて構成したことにある。
【００１３】
請求項３に記載の発明では、使用者が鼻腔に粉状薬剤を施薬するときに、前記薬剤施薬噴霧部のノズルを、使用者の鼻腔形状にならって自在に挿入、施薬するために可撓性を持つチューブで構成したことにある。
【００１４】
【発明の実施の形態】
本発明が提供する請求項１による粉状薬剤施薬装置の発明では、カプセル収容保持部にカプセルの軸方向に対して直角方向に移動するように引出し式に設けられたカプセル入出部にカプセルを置き、このカプセル入出部をカプセル収容保持部に収める動作により、カプセル収容保持部にカプセルの軸方向に対して横方向に設けられたゲート部により収容されるカプセルの全長が規制されて、同じカプセルの軸方向に対して横方向に設けられた刃具がカプセルの軸方向両側最端部から一定の寸法でカプセル端部を切断し、カプセルの両側端部に同時に小径の穴をあける。
【００１５】
また、施薬時にはポンプ部から空気を供給し、この空気は穴があけられたカプセル内に流入しカプセル内の薬剤を薬剤分散部に送り、薬剤を分散させて空気と混合し、薬剤施薬噴霧部の薬剤通路を介してノズルから使用者の鼻腔へ送達、施薬される。
【００１６】
請求項２による発明では、カプセル収容保持部とポンプ部の間の空気流通路にスプリングにより開弁圧力を規定した一方向弁を設けたことにより、カプセルの穴あけ時にカプセルからポンプ部に落下、逆流する薬剤のポンプ部への落下、逆流を完全に防止し得る。
【００１７】
また、施薬時にはポンプ部からの空気の圧力と流入により一方向弁が開弁してカプセルから落下、逆流して一方向弁とカプセル間にある薬剤をカプセル内の薬剤と共に薬剤分散部や薬剤噴霧部を介してノズルから使用者の鼻腔へ送達、施薬することとなる。
【００１８】
請求項３による発明では、使用者が鼻腔に施薬する時に、薬剤施薬噴霧部のノズルを鼻腔に挿入するが、このノズルが可撓性をもつチューブでできているため、使用者の鼻腔形状にならって自在に挿入できるのである。
【００１９】
【実施例】
以下、本発明の実施例を、図１ないし図８に基づき説明する。
【００２０】
図１は本実施例による鼻腔用粉状薬剤施薬装置の側面図を示し、図２は本実施例に示す鼻腔用粉状薬剤施薬装置の側面図の断面図である。鼻腔用粉状薬剤施薬装置１０は、薬剤施薬噴霧部２０と薬剤分散部７０とカプセルＫを収納保持するカプセル収納保持部３０と、カプセル収納保持部３０に引出し式に設けられたカプセル入出部４０と、カプセル収納保持部３０の空気流入側に位置して設けられカプセルＫに向けて空気を供給するポンプ部５０と、前記カプセル収納保持部３０のカプセル入出部４０のカプセルＫの軸方向両側に位置してカプセル入出部４０の入出動作によりカプセルＫの軸方向両側に穴をあけるための刃具６０Ａ、６０Ｂとから大略構成されている。
【００２１】
薬剤施薬噴霧部２０において、薬剤通路２１が設けられ、薬剤通路２１に接続して可撓性をもつチューブでできたノズル２２Ａおよび２２Ｂが形成される。
【００２２】
薬剤分散部７０には薬剤分散室７１が設けられ、薬剤分散室７１は薬剤施薬噴霧部２０の薬剤通路２１と接続する分散部上通路７２およびカプセル収容保持部３０のカプセルＫの軸方向上側（空気流出側）の上通路３９と接続する分散部下通路７３が形成される。
【００２３】
カプセル収容保持部３０のカプセルＫの軸方向下側（空気流入側）の空気流通路３１には、カプセルＫからの粉状薬剤のポンプ部５０への落下、逆流を防止する一方向弁３３が設けられ、この一方向弁３３はスプリング３４によりポンプ部５０からの空気圧力が規定圧力以上になった時に開弁するように、またポンプ部５０の空気圧力が規定圧力より低い場合には空気流通入口３５を閉止して空気の逆流を完全に防止するようになっている。
【００２４】
カプセル入出部４０は、カプセルＫを着脱する位置にカプセル着脱用凹部４１を持ち、カプセル収容保持部３０へカプセルＫの軸方向に対して横方向に引出し式に出入りできるようになっており、カプセル収容保持部３０に設けられた凸部３７にカプセル入出部４０の引出端部４４が当接することにより、引出し開端が規制される構成となっている。
【００２５】
また、カプセル入出部４０をカプセル収容保持部３０に入れ込むときには、カプセル入出部４０の入出部凸部４５がカプセル収容保持部３０の当接面３６に当接することで入れ込み端が規制される。
【００２６】
ポンプ部５０は、ゴム弾性をもつ材料により取付部５１、底部５２および周面が押圧部５３となった有底円筒状に形成され、取付部５１はカプセル収容保持部３０のカプセル収容保持部下部３８の円筒状の外周面に気密に装着され、底部５２の中央部には空気取入弁５４が取り付けられている。
【００２７】
空気取入弁５４は、ゴム弾性を持つ材料で形成され、空気取入穴５５と取入弁体５６とから構成され、ポンプ部５０が押圧された時には閉弁し、ポンプ部５０が押圧後に復帰する時には開弁して外部からポンプ部５０に空気を供給する。
【００２８】
本実施例による鼻腔用粉状薬剤施薬装置１０は、上述したように構成されるが、次に図３ないし図５に基づいてカプセルの穴あけ時の動作について説明する。
【００２９】
まず、図３に示すように、カプセルＫをカプセル入出部４０のカプセル着脱用凹部４１に置き、カプセル入出部４０のカプセル入出部端面４６を押し、カプセル入出部４０がカプセル収容保持部３０に入り込むようにする。
【００３０】
そして、図４のように、カプセル入出部４０のカプセル着脱用凹部４１に置かれたカプセルＫがカプセル収容保持部３０に入り込むにしたがい、カプセル収容保持部３０にカプセルＫの軸方向に対して横方向にカプセルＫの軸方向両側に位置して設けられたゲート部４７Ａ、４７ＢがカプセルＫと接触し、カプセルＫの長手方向全長のバラツキの最短寸法に規定されたガイド部４７Ａと４７Ｂ間の寸法により、カプセルＫは一定の全長寸法に規制されてカプセル収容保持部３０にさらに入り込み、カプセル収容保持部３０にカプセルＫの軸方向に対して横方向にカプセルＫの軸方向両側に位置して設けられた刃具６０Ａ、６０ＢがカプセルＫの軸方向両側端部ＫＡ、ＫＢを一定の切巾で切断することにより、カプセルＫの軸方向両側端部に穴があけられる。
【００３１】
さらに、カプセル入出部４０のカプセル入出部端面４６を押し、入出部凸部４５をカプセル収容保持部３０の当接面３６に当接させることにより、すでに軸方向両側に穴があけられたカプセルＫはカプセル収容保持部３０の空気流通路３１と連通し、また上通路３９および分散部下通路７３を介して薬剤分散部７０の薬剤分散室７１と接続し、また薬剤分散室７１は分散部上通路７２を介して薬剤施薬噴霧部２０の薬剤通路２１と接続しているので施薬の準備ができる。
【００３２】
このとき、図５のように、軸方向両側に穴があけられたカプセルＫ内の薬剤が、空気流通路３１に向けて落下するが、一方向弁３３がスプリング３４の働きで既に閉じていることにより、ポンプ部５０への落下、逆流が防止される。
【００３３】
このように、本実施例によるに鼻腔用粉状薬剤施薬装置１０の穴あけ時においては、カプセルＫを鼻腔用粉状薬剤施薬装置１０に収納する動作のみでカプセルＫの軸方向両側に容易に穴があけられると共に、一方向弁３３によって穴あけ後に落下、逆流する薬剤のポンプ部５０への落下、逆流を完全に防止できる。
【００３４】
次に、カプセルＫに穴あけを行った後に使用者に施薬する施薬時の作動について図６に基づいて説明する。
【００３５】
まず、薬剤施薬噴霧部２０のノズル２２Ａ、２２Ｂを使用者の鼻腔に挿入し、図６に示すようにポンプ部５０の押圧部５３を矢示Ｐ方向に押圧することにより、一方向弁３３に負荷される空気の圧力が高まり、規定の圧力に達すると一方向弁３３が開弁しポンプ部５０から一方向弁３３および空気流通路３１を通りカプセルＫに向けて空気が供給される。
【００３６】
これにより、ポンプ部５０からの空気はカプセルＫ内から上通路３９と分散部下通路７３を通り、薬剤分散室７１に入り、さらに分散部上通路７２と薬剤通路２１およびノズル２２Ａ、２２Ｂを介して使用者の鼻腔に流入する。
【００３７】
このとき、カプセルＫ内に流れる空気によって、カプセルＫの薬剤は攪拌されて空気と共に薬剤分散室７１に送られて分散され、かつ空気と適度に混合されて使用者の鼻腔に送達、施薬される。
【００３８】
さらに、穴あけ時に一方向弁３３まで落下、逆流した薬剤はポンプ部５０からの空気により送り出され、カプセルＫ内の薬剤と共に使用者の鼻腔に送達、施薬される。この結果、カプセルＫ内に充填された薬剤の規定量を確実に使用者の鼻腔に送達、施薬できる。
【００３９】
また、ポンプ部５０の押圧が終了する直前には、一方向弁３３に負荷される空気の圧力が弱まり一方向弁３３が開弁する規定の圧力より低くなると、一方向弁３３は閉弁するが、一方向弁３３が閉弁する直前までポンプ部５０からカプセルＫに向かって空気は流れている。これによりカプセルＫ内や空気流通路３１の薬剤はポンプ部５０へ落下、逆流することなくポンプ部５０への薬剤の落下、逆流を確実に防止できる。
【００４０】
さらに、ポンプ部５０の押圧が終了し押圧を解除すると、ゴム弾性をもつポンプ部５０の押圧部５３が矢示Ｒ方向に戻り、ポンプ部５０内に負圧を生じさせることにより空気取入弁５４の取入弁体５６が外部の空気の圧力により開いて空気取入穴５５を介し外部からポンプ部５０内に空気が流入することで、ポンプ部５０の押圧部を二点鎖線で示すように元の状態に復帰する。
【００４１】
本実施例による鼻腔用粉状薬剤施薬装置１０においては、カプセルＫをカプセル入出部４０のカプセル着脱用凹部４１に置き、カプセル入出部４０をカプセル収容保持部３０に入れ込むに従い、カプセル収容保持部３０にカプセルＫの軸方向に対して横方向にカプセルＫの軸方向両側に位置して設けられたゲート部４７Ａ、４７ＢがカプセルＫの全長を一定にして、同じくカプセル収容保持部３０にカプセルＫの軸方向に対して横方向にカプセルＫの軸方向両側に位置して設けられた刃具６０Ａ、６０ＢがカプセルＫの軸方向両側端部ＫＡ、ＫＢを切断することによりカプセルＫの軸方向両側端部に穴があけられる。すなわち、カプセルＫを鼻腔用粉状薬剤施薬装置１０に収容する動作のみの極めて少ない動作でカプセルＫの収容と穴あけができる。しかも従来技術のように別体となった穴あけ用のキャップや先端部を紛失する恐れはなく、また穴あけ動作を忘れて施薬に失敗することなく、確実にカプセルＫに穴をあけて施薬の準備ができる。
【００４２】
また、カプセル収容保持部３０には空気流通路３１にカプセルＫから落下、逆流してくる粉状薬剤のポンプ部５０への落下、逆流を防止する一方向弁３３が設けられている。この一方向弁３３はポンプ部５０からの空気圧力が規定圧力以上になったときに開弁し、またポンプ部５０からの空気圧力が規定圧力より低い場合は、スプリング３４により空気流通入口３５を閉止し、空気や薬剤の逆流を確実に防止するようにしてある。したがって、穴あけ時に一方向弁３３まで落下、逆流した薬剤は、ポンプ部５０の押圧により、ポンプ部５０内の空気圧力が規定圧力以上に高まり、一方向弁３３が開弁してカプセルＫ内の薬剤と共に、使用者の鼻腔に送達、施薬できる。従来技術のように穴あけ後のカプセルから薬剤がポンプ部へ落下することで必要な量の薬剤の施薬ができなくなる問題や、ポンプ部の清掃を行う必要があるという問題も解消できるので、カプセルＫ内に充填された規定量の薬剤を確実に使用者の鼻腔に送達、施薬できる。
【００４３】
さらに、薬剤施薬噴霧部２０において、薬剤通路２１が設けられ薬剤通路２１の先端部は図７のように可撓性を持つチューブでできたノズル２２Ａ、２２Ｂが形成され、施薬時には使用者の鼻腔にならって自在に無理なく簡便に挿入でき、施薬できる。この結果、従来技術のように硬い樹脂でできた先端部を鼻腔に挿入することで使用者の鼻腔を傷つける恐れや、使用者の鼻腔形状に適合しないことで鼻腔への施薬が妨げられて効率的な施薬ができなくなることもなく、安全にしかも使用者の鼻腔形状に適合した効率のよい施薬ができる。
【００４４】
なお、図８は本発明の別の実施例による鼻腔用粉状薬剤施薬装置の断面図を示す（図中の符号は、先の実施例と同一の意味を有する）。本実施例においては、薬剤噴霧部２０において、薬剤通路２１の先端部が可撓性を持つチューブでできたノズル２２が、前記した実施例と異なり１本のノズルで構成されている点で異なるのみで、カプセルＫの穴あけ時の作動、ならびに穴あけを行った後に使用者に施薬する施薬時の作動は先の実施例と全く同様である。
【００４５】
【発明の効果】
以上のように、請求項１の発明は、カプセルをカプセル入出部のカプセル着脱用凹部に置き、カプセル入出部をカプセル収容保持部に入れ込むに従い、カプセル収容保持部にカプセルの軸方向に対して横方向にカプセルの軸方向両側に位置して設けられたゲート部がカプセルの全長を一定にして、同じくカプセル収容保持部にカプセルの軸方向に対して横方向にカプセルの軸方向両側に位置して設けられた刃具がカプセルの軸方向両側端部を切断することにより、カプセルの軸方向両側端部に穴をあけることができる。この後ポンプ部からカプセル収容保持部のカプセルに空気を供給してカプセル内の薬剤を空気と共に薬剤分散部の薬剤分散室へ送り、薬剤を分散させて空気と混合し、施薬噴霧部の薬剤通路からノズルを介して使用者の鼻腔に施薬する構成としたことから、カプセルを鼻腔用粉状薬剤施薬装置に収納する動作のみでカプセルに穴あけまで行うことができる。本発明により、忘れ易い穴あけ動作を省き、穴あけ針を設けたキャップや先端部などの別体のものを紛失する恐れもなく、極めて少ない動作で確実にカプセルに穴あけを行うことができる。
【００４６】
請求項２の発明は、カプセル収容保持部とポンプ部の間に、穴あけ後のカプセルから落下、逆流してくる薬剤を捕捉、捕集し、ポンプ内に落下させないためと、捕捉、捕集した薬剤をポンプ部の作動によりカプセル内の薬剤と共に施薬することができる通路形状をもつ空気流通路およびスプリングにより開弁圧力を規定した一方向弁を設けたことから、穴あけ時に落下、逆流した薬剤を施薬時にポンプ部からの空気によってカプセル収容保持部、薬剤分散部、薬剤施薬噴霧部を介してカプセル内の薬剤と共に使用者の鼻腔に送達、施薬され、カプセル内に充填された規定量の薬剤は確実に使用者の鼻腔に送達、施薬できる。さらにポンプ部へ薬剤が全く落下しないので、ポンプ部の清掃を省くことができる。
【００４７】
また、請求項３の発明は、薬剤施薬噴霧部のノズルを可撓性を持つチューブで形成したことから、施薬時に使用者がノズルを鼻腔に挿入する際に使用者の鼻腔形状にならって自在に無理なく簡便に挿入でき、安全にしかも使用者の鼻腔形状に適合した効率のよい施薬ができ、また、構造が簡単であり、低廉なコストで製造ができる。
【図面の簡単な説明】
【図１】本発明の実施例を示す側面図である。
【図２】本発明の実施例を示す断面図である。
【図３】カプセル入出部を引き出してカプセルを置いた状態を示す図である。
【図４】カプセルを置いたカプセル入出部をカプセル収容保持部に入れ込む途中の状態で刃具がカプセル端部を切断しつつある状態を示す断面図である。
【図５】カプセル端部が刃具により切断され、穴あけが完了してカプセル内の薬剤がポンプ部方向へ落下、逆流している状態を示す断面図である。
【図６】ポンプ部を押圧することによりカプセル内の薬剤を送達、施薬している状態を示す断面図である。
【図７】人の鼻へのノズルの挿入例を示す図である。
【図８】本発明の別の実施例を示す断面図である。
【符号の説明】
１０・・・鼻腔用粉状薬剤施薬装置
２０・・・薬剤施薬噴霧部
２１・・・薬剤通路
２２，２２Ａ，２２Ｂ・・・ノズル
３０・・・カプセル収容保持部
３１・・・空気流通路
３３・・・一方向弁
３４・・・スプリング
３５・・・空気流通入口
３６・・・当接面
３７・・・凸部
３８・・・カプセル収容保持部下部
３９・・・上通路
４０・・・カプセル入出部
４１・・・カプセル着脱用凹部
４２Ａ，４２Ｂ・・・カプセル切端排出部
４４・・・引出端部
４５・・・入出部凸部
４６・・・カプセル入出部端面
４７Ａ，４７Ｂ・・・ゲート部
５０・・・ポンプ部
５１・・・取付部
５２・・・底部
５３・・・押圧部
５４・・・空気取入弁
５５・・・空気取入穴
５６・・・取入弁体
６０Ａ，６０Ｂ・・・刃具
７０・・・薬剤分散部
７１・・・薬剤分散室
７２・・・分散部上通路
７３・・・分散部下通路
Ｋ・・・・カプセル
ＫＡ，ＫＢ・・・カプセル端部
【図１】
2004129823.tif 000003
【図２】
2004129823.tif 000004
【図３】
2004129823.tif 000005
【図４】
2004129823.tif 000006
【図５】
2004129823.tif 000007
【図６】
2004129823.tif 000008
【図７】
2004129823.tif 000009
【図８】
2004129823.tif 000010